(57)【特許請求の範囲】
【請求項１】
キャプスタンと、
上面、前記キャプスタンが支持される第１の内側面を有する孔部、および前記孔部と前記上面との間に配置され、前記キャプスタンを囲む第２の内側面を有する開口部、を含む鍵と、
を備える鍵アセンブリ。
【請求項２】
前記開口部の前記第２の内側面と前記キャプスタンとは、少なくとも一部離隔する請求項１に記載の鍵アセンブリ。
【請求項３】
前記キャプスタンは、頭部と、ねじ部を含む軸部と、を有し、
前記ねじ部は前記孔部の前記第１の内側面と噛み合う請求項1又は請求項２に記載の鍵アセンブリ。
【請求項４】
前記軸部は、前記頭部と前記ねじ部との間に円筒部をさらに含み、
前記円筒部の最大径は前記ねじ部の最大径より小さい請求項３に記載の鍵アセンブリ。
【請求項５】
前記円筒部の最大径は前記ねじ部の最小径より小さい請求項４に記載の鍵アセンブリ。
【請求項６】
前記ねじ部はすべて前記孔部に配置される請求項４又は請求項５に記載の鍵アセンブリ。
【請求項７】
前記円筒部の一部は前記孔部に配置される請求項４乃至請求項６の何れか１項に記載の鍵アセンブリ。
【請求項８】
前記頭部の最大径は前記開口部の最大径より大きい請求項３乃至請求項７の何れか１項に記載の鍵アセンブリ。
【請求項９】
前記開口部の最大径と前記孔部の最大径とは同じである請求項１乃至請求項８の何れか１項に記載の鍵アセンブリ。
【請求項１０】
軸方向における前記孔部の長さは、軸方向における前記ねじ部の長さより長い請求項３乃至請求項９の何れか１項に記載の鍵アセンブリ。
【請求項１１】
前記鍵は、前記上面とは反対側に下面を含み、
前記孔部は、前記下面まで貫通している請求項１乃至請求項１０の何れか１項に記載の鍵アセンブリ。
【請求項１２】
前記鍵は木製である請求項１乃至請求項１１の何れか１項に記載の鍵アセンブリ。
【請求項１３】
棚板と、
キャプスタンと鍵とを含み、前記棚板に対して回動可能に配置された鍵アセンブリと、
前記キャプスタンに載置されるアクション機構と、を備え、
前記鍵は、上面、前記キャプスタンが支持される第１の内側面を有する孔部、および前記孔部と前記上面との間に配置され、前記キャプスタンを囲む第２の内側面を有する開口部、を含む鍵盤装置。
【発明の詳細な説明】
【技術分野】
【０００１】
本発明は、鍵盤装置に用いる鍵に関する。
【背景技術】
【０００２】
鍵盤楽器は多くの部品によって構成され、各鍵に対応して設けられるアクション機構は非常に複雑である。鍵盤楽器において鍵の押鍵動作は、鍵を回動し、アクション機構を介してハンマーが打弦することによって発音する。このとき、鍵は押鍵動作によって回動し、鍵後方部に取りつけられたキャプスタンによってアクション機構を駆動する。キャプスタンはスクリュー型であり、キャプスタンスクリューを回すことでキャプスタンスクリューの高さを調整することができる。キャプスタンスクリューの高さを調整することで、アクション機構を介したハンマーの高さ（打弦距離）を調整することができる。【０００３】
鍵、アクション機構、およびハンマーの動作は、鍵を介して演奏者の指に感覚（以下、タッチ感という）を与える。したがって、キャプスタンスクリューによって打弦距離を調整することで、鍵のタッチ感を変えることができる。さらに鍵盤楽器の各鍵の打弦距離を揃えることで、各鍵のタッチ感を調整することができる。また、鍵、アクション機構、およびハンマーは主に木材で構成されており、環境変化および経年変化などによって、調整にずれが生じることがある。このような場合にも、キャプスタンスクリューによって打弦距離を調整することで、いつでも同じタッチ感を維持することができる。【０００４】
特許文献１には、鍵本体へのキャプスタンの取付け位置を前後方向の任意の位置に調整でき、それにより、鍵のタッチ重さをより広い範囲で調整することができる鍵盤楽器の鍵が開示されている。
【先行技術文献】
【特許文献】
【０００５】
【特許文献１】特開２００８−９０１６７号公報
【発明の概要】
【発明が解決しようとする課題】
【０００６】
しかしながら特許文献１においては、環境変化および経年変化などによる調整のずれを抑制することに関しては何ら考慮がなされていない。本発明の目的の一つは、鍵の環境変化および経年変化を抑制することで、調整のずれを抑制し、信頼性を向上することにある。
【課題を解決するための手段】
【０００７】
本発明の一実施形態による鍵アセンブリは、キャプスタンと、前記キャプスタンが支持される内側面を有する孔部、および前記孔部よりも表面側に配置され、前記キャプスタンを囲む内側面を有する開口部、を含む鍵と、を備える。【０００８】
また、前記開口部の内側面と前記キャプスタンとは、少なくとも一部離隔してもよい。【０００９】
また、前記キャプスタンは、頭部と、ねじ部を含む軸部と、を有し、前記ねじ部は前記孔部の内側面と噛み合ってもよい。【００１０】
また、前記軸部は、前記頭部と前記ねじ部との間に円筒部をさらに含み、前記円筒部の最大径は前記ねじ部の最大径より小さくてもよい。【００１１】
また、前記円筒部の最大径は前記ねじ部の最小径より小さくてもよい。【００１２】
また、前記ねじ部はすべて前記孔部に配置されてもよい。【００１３】
また、前記円筒部の一部は前記孔部に配置されてもよい。【００１４】
また、前記頭部の最大径は前記開口部の最大径より大きくてもよい。【００１５】
また、前記開口部の最大径と前記孔部の最大径とは同じであってもよい。【００１６】
また、前記孔部は、軸方向に前記ねじ部より長くてもよい。【００１７】
また、前記孔部は、前記開口部とは反対側に貫通していてもよい。【００１８】
また、前記鍵は木製であってもよい。【００１９】
本発明の一実施形態による鍵盤装置は、棚板と、前記棚板に対して回動可能に配置された請求項１乃至１２の何れか１項に記載の鍵アセンブリと、前記キャプスタンに載置されるアクション機構と、を備える。
【発明の効果】
【００２０】
本発明によれば、鍵の環境変化および経年変化を抑制することで、調整のずれを抑制し、信頼性を向上することができる。
【図面の簡単な説明】
【００２１】
【図１】本発明の一実施形態における鍵盤装置のアクション機構近傍を示す拡大図である。
【図２】本発明の一実施形態におけるキャプスタンスクリューと鍵との締結箇所の部分拡大上面図である。
【図３】本発明の一実施形態におけるキャプスタンスクリューと鍵との締結箇所の部分拡大断面図である。
【図４】本発明の一実施形態における締結前のキャプスタンスクリューの部分拡大断面図である。
【図５】本発明の一実施形態における締結前の鍵の部分拡大断面図である。
【図６】本発明の一実施形態におけるキャプスタンスクリューと鍵との締結箇所の部分拡大上面図である。
【図７】本発明の一実施形態におけるキャプスタンスクリューと鍵との締結箇所の部分拡大断面図である。
【図８】本発明の一実施形態における締結前のキャプスタンスクリューの部分拡大断面図である。
【図９】本発明の一実施形態における締結前の鍵の部分拡大断面図である。
【図１０】本発明の一実施形態におけるキャプスタンスクリューと鍵との締結箇所の部分拡大断面図である。
【図１１】本発明の一実施形態における締結前のキャプスタンスクリューの部分拡大断面図である。
【図１２】本発明の一実施形態におけるキャプスタンスクリューと鍵との締結箇所の部分拡大断面図である。
【図１３】本発明の一実施形態における締結前のキャプスタンスクリューの部分拡大断面図である。
【図１４】本発明の一実施形態におけるキャプスタンスクリューと鍵との締結箇所の部分拡大上面図である。
【図１５】本発明の一実施形態におけるキャプスタンスクリューと鍵との締結箇所の部分拡大断面図である。
【図１６】本発明の一実施形態における締結前のキャプスタンスクリューの部分拡大断面図である。
【図１７】本発明の一実施形態における締結前の鍵の部分拡大断面図である。
【図１８】本発明の一実施形態におけるキャプスタンスクリューと鍵との締結箇所の部分拡大断面図である。
【図１９】本発明の一実施形態における締結前のキャプスタンスクリューの部分拡大断面図である。
【図２０】本発明の変形例におけるキャプスタンスクリューと鍵との締結箇所の部分拡大断面図である。
【図２１】本発明の変形例におけるキャプスタンスクリューと鍵との締結箇所の部分拡大断面図である。
【図２２】本発明の変形例におけるキャプスタンスクリューと鍵との締結箇所の部分拡大断面図である。
【発明を実施するための形態】
【００２２】
以下、本発明の一実施形態における鍵盤装置について、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号（数字の後にＡ、Ｂ等を付しただけの符号）を付し、その繰り返しの説明は省略する場合がある。また、図面の寸法比率（各構成間の比率、縦横高さ方向の比率等）は説明の都合上実際の比率とは異なったり、構成の一部が図面から省略されたりする場合がある。
【００２３】
以下の説明で用いる方向（回動方向Ｒおよびヨーイング方向Ｙ）について定義する。回動方向Ｒは、鍵２の回動する方向に対応する。ヨーイング方向Ｙは、鍵２を上方から見たときに左右方向に曲がる方向である。鍵２のヨーイング方向Ｙの移動はスケール方向Ｓに曲がる（反る）ことに相当する。
【００２４】
＜第１実施形態＞
［鍵盤装置の全体構成］
本実施形態においては、鍵盤装置の一例として、その前面に演奏者によって演奏操作がなされる鍵が複数配列された鍵盤を有するグランドピアノについて説明する。しかしながら鍵盤装置はこれに限定されず、後述する鍵とキャプスタンスクリューとを有する鍵アセンブリによって駆動される鍵盤装置であればよい。
【００２５】
複数の鍵は、白鍵および黒鍵を含む。複数の白鍵と複数の黒鍵とは並んで配列されている。鍵の数は、Ｎ個であり、ここでは８８個とする。複数の鍵が配列された方向をスケール方向という。ここで白鍵および黒鍵を特に区別せずに説明する場合には、鍵２という。
【００２６】
［鍵盤アセンブリの構成］
図１は、鍵盤装置のアクション機構近傍を示す拡大図である。図１において各鍵２に対応して設けられている構成については、図示する１つの鍵２（この例では白鍵）に対応して設けられている各構成に着目して示し、他の鍵２に対応して設けられている各構成については記載を省略している。
【００２７】
なお、本明細書における説明において、上、下、左、右、手前および奥などの方向は、演奏するときの演奏者から鍵盤装置を見た場合の方向を示している。また、鍵前端側（鍵前方側）、鍵後端側（鍵後方側）のように、鍵２を基準として方向を示す場合もある。この場合、鍵前端側は鍵２に対して演奏者から見た手前側を示す。鍵後端側は鍵２に対して演奏者から見た奥側を示す。
【００２８】
図１に示すように、鍵盤装置の内部には、鍵盤アセンブリ１０が配置されている。鍵盤アセンブリ１０は、上述した鍵２を含む鍵アセンブリ１００、アクション機構４５、ハンマ４および棚板６を含む。鍵盤アセンブリ１０は、ほとんどの構成が木製の構造体である。棚板６は、鍵盤装置の筐体に固定されている。棚板６はバランスピン７を有する。棚板６のバランスピン７は、鍵アセンブリ１００を棚板６に対して回動可能に接続する。バランスピン７は、鍵２が延在する方向の略中心で鍵アセンブリ１００を支持する支点となる。したがって、鍵２の押鍵動作によって、鍵アセンブリ１００はバランスピン７を支点に棚板６に対して回動する。
【００２９】
鍵アセンブリ１００は、鍵２の支点（バランスピン７により支持される位置）より後端側にキャプスタンスクリュー９を有する。キャプスタンスクリュー９は、金属製の構造体である。キャプスタンスクリュー９は、頭部１２と軸部１４を有する。キャプスタンスクリュー９の軸部１４は鍵２の上面側（押鍵される面側）に締結され、キャプスタンスクリュー９の頭部１２は鍵２の上方に配置される。すなわち、キャプスタンスクリュー９の頭部１２は、鍵２の上方に突出している。なお、キャプスタンスクリュー９と鍵２との締結箇所の構成は後で詳しく説明する。
【００３０】
鍵アセンブリ１００の上には、アクション機構４５およびハンマ４がフレーム４０に対して回動可能に配置される。アクション機構４５およびハンマ４は、各鍵アセンブリ１００に対応して設けられる。アクション機構４５の下面に配置されるサポートヒール４３は、鍵アセンブリ１００のキャプスタンスクリュー９の上面と摺動可能に接触している。この摺動部分、すなわちアクション機構４５のサポートヒール４３と鍵アセンブリ１００のキャプスタンスクリュー９とが接触する部分は、鍵２の支点（バランスピン７により支持される位置）より後方であって鍵２の上方に位置する。
【００３１】
通常時（押鍵していないとき）には、アクション機構４５が鍵アセンブリ１００のキャプスタンスクリュー９上に載置された状態であり、鍵２の前端側を押し上げている。鍵２の前端側が押鍵されると、鍵アセンブリ１００は支点を中心に回動し、キャプスタンスクリュー９がアクション機構４５を介してハンマ４を上方に移動する。この結果、ハンマ４は、各鍵アセンブリ１００に対応して設けられた弦５を打撃する。弦５は、各鍵アセンブリ１００に対応した振動周波数を有し、ハンマ４からの打撃により発音する。鍵２が離鍵されると、鍵アセンブリ１００が支点を中心に回動して元に戻り、アクション機構４５およびハンマ４を下方に移動する。このため、キャプスタンスクリュー９はアクション機構４５を駆動し、一方で、鍵２に負荷を与える位置と定義する。
【００３２】
［キャプスタンスクリューと鍵との締結箇所の構成］
図２から図５を用いて、キャプスタンスクリューと鍵との締結箇所の構成を詳しく説明する。図２は、本発明の一実施形態におけるキャプスタンスクリューと鍵との締結箇所の部分拡大上面図である。図３は、本発明の一実施形態におけるキャプスタンスクリューと鍵との締結箇所の部分拡大断面図である。図４は、本発明の一実施形態における締結前のキャプスタンスクリューの部分拡大断面図である。図５は、本発明の一実施形態における締結前の鍵の部分拡大断面図である。
【００３３】
キャプスタンスクリュー９は、頭部１２と軸部１４を有する。本実施形態において、軸部１４はねじ部１６を有する。キャプスタンスクリュー９のねじ部１６は、鍵２の孔部２４に締結される。頭部１２の径ｄ１は、ねじ部１６の径ｄ２より大きい。ここで頭部１２の径ｄ１とは軸方向に見た頭部１２の最大径を示し、ねじ部１６の径ｄ２とは軸方向に見たねじ部１６の最大径を示す。キャプスタンスクリュー９は頭部１２の径ｄ１がねじ部１６の径ｄ２より大きいことで、アクション機構４５を安定して載置することができ、鍵の押離動作に応じて安定してアクション機構４５と摺動することができる。本実施形態において、上面から見た頭部１２および軸部１４は円形である。上面から見た頭部１２の中心と軸部１４の中心とは略一致する。しかしながらこれに限定されず、頭部１２は例えば多角形であってもよく、頭部１２の中心と軸部１４の中心とはずれていてもよい。
【００３４】
鍵２は上面（押鍵される面側）に、開口部２２と、キャプスタンスクリュー９が支持される内側面を有する孔部２４と、を含む。ここで、孔部２４は開口部２２の底部に配置される。すなわち、開口部２２は孔部２４よりも鍵２の表面側に配置され、開口部２２と孔部２４とは鍵アセンブリ１００の回動方向に連続している。キャプスタンスクリュー９が支持される孔部２４が開口部２２の底部に配置されることで、キャプスタンスクリュー９が支持される領域付近の鍵２の回動方向における環境変化および経年変化を受ける幅がｈ３からｈ４に減少する。このため、鍵２の回動方向における変化量が同じ割合であれば、キャプスタンスクリュー９が鍵２から受ける軸方向における変化量はｈ４／ｈ３に抑制される。すなわち、キャプスタンスクリュー９が支持される孔部２４が開口部２２の底部に配置されることで、キャプスタンスクリュー９が鍵２の回動方向における環境変化および経年変化により受ける影響を抑制することができる。このため、鍵アセンブリ１００は調整のずれを抑制することができる。
【００３５】
開口部２２の内側面および孔部２４の内側面は、何れもキャプスタンスクリュー９を囲むように配置される。別言すると、開口部２２および孔部２４は、鍵アセンブリ１００の回動方向以外に閉じた穴である。したがって、開口部２２のスケール方向の幅は鍵２のスケール方向の幅より小さい。開口部２２がキャプスタンスクリュー９を囲むように配置されることで、鍵２の大部分は回動方向に幅ｈ３を維持することができる。このため、鍵２は開口部２２を有しても十分な強度を維持することができ、鍵アセンブリ１００は信頼性を維持することができる。
【００３６】
本実施形態において、上面から見た開口部２２および孔部２４は円形である。上面から見た開口部２２の中心と孔部２４の中心とは略一致する。しかしながらこれに限定されず、開口部２２は例えば多角形であってもよく、開口部２２の中心と孔部２４の中心とはずれていてもよい。本実施形態において、開口部２２の径Ｄ１は孔部２４の径Ｄ２より大きい。ここで開口部２２の径Ｄ１とは上面から見た開口部２２の最大径を示し、孔部２４の径Ｄ２とは上面から見た孔部２４の最大径を示す。
【００３７】
本実施形態において、キャプスタンスクリュー９のねじ部１６は、開口部２２の内側面と離隔している。開口部２２の径Ｄ１はねじ部１６の最大径ｄ２より大きい。
【００３８】
キャプスタンスクリュー９の頭部１２は、開口部２２の外に配置される。すなわち、キャプスタンスクリュー９の頭部１２は、鍵２の上面側（押鍵される面側）に突出している。本実施形態においてキャプスタンスクリュー９の頭部１２の径ｄ１は開口部２２の径Ｄ１より小さい。しかしながらこれに限定されず、キャプスタンスクリュー９の頭部１２の径は開口部２２の径より大きくてもよい。
【００３９】
キャプスタンスクリュー９のねじ部１６は、孔部２４の内側面と噛み合う。したがって、ねじ部１６の最大径ｄ２（おねじの山先端間の直径）と孔部２４の最大径Ｄ２（めねじの谷先端間の直径）とは略同一であり、ねじ部１６の最小径ｄ２’（おねじの谷先端間の直径）と孔部２４の最小径Ｄ２’（めねじの山先端間の直径）とは略同一である。図５に示すように、キャプスタンスクリュー９を締結する前の孔部２４はめねじを切られていない下穴である。このためキャプスタンスクリュー９を締結する前の孔部２４の最大径とねじ部１６の最小径ｄ２’とは略同一である。図５の点線で示すように、キャプスタンスクリュー９を締結することで孔部２４はめねじを切られ、孔部２４の最大径はＤ２とねじ部１６の最大径ｄ２とは略同一となる。しかしながらこれに限定されず、キャプスタンスクリュー９の先端部が尖っていれば、下穴の径はねじ部１６の最小径ｄ２’より小さくてもよく、下穴はなくてもよい。本実施形態において、上面から見たねじ部１６および孔部２４は円形であり、ねじ部１６の外側面は円周略全方向において、孔部２４の内側面と噛み合う。しかしながらこれに限定されず、ねじ部１６または孔部２４は例えば多角形であってもよく、上面から見たねじ部１６および孔部２４が少なくとも３点で噛み合っていればよい。
【００４０】
以上のように、本実施形態に係る鍵アセンブリ１００によると、開口部２２の底部に孔部２４を有することで、キャプスタンスクリュー９が鍵２の回動方向における環境変化および経年変化により受ける影響を抑制することができる。また、開口部２２がキャプスタンスクリュー９を囲むように配置されることで、鍵２の強度を維持することができる。このため、鍵アセンブリ１００は調整のずれを抑制し、信頼性を維持することができる。
【００４１】
＜第２実施形態＞
第２実施形態では、第１実施形態における鍵アセンブリ１００とは異なる構成の鍵アセンブリ１００ａについて説明する。第２実施形態の鍵２ａは、開口部２２ａの径Ｄ１ａがねじ部１６ａの最大径ｄ２ａと略同一であることが第１実施形態の鍵２と相違する。第２実施形態のキャプスタンスクリュー９ａは、第１実施形態のキャプスタンスクリュー９と同一である。第２実施形態の鍵アセンブリ１００ａは、鍵２ａの開口部２２ａとキャプスタンスクリュー９ａのねじ部１６ａとが一部接触する。なお、第１実施形態と同様である部分は、前の説明と同じ番号を付すことで繰り返しの説明は省略する。
【００４２】
［キャプスタンスクリューと鍵との締結箇所の構成］
図６から図９を用いて、キャプスタンスクリューと鍵との締結箇所の構成を詳しく説明する。図６は、本発明の一実施形態におけるキャプスタンスクリューと鍵との締結箇所の部分拡大上面図である。図７は、本発明の一実施形態におけるキャプスタンスクリューと鍵との締結箇所の部分拡大断面図である。図８は、本発明の一実施形態における締結前のキャプスタンスクリューの部分拡大断面図である。図９は、本発明の一実施形態における締結前の鍵の部分拡大断面図である。
【００４３】
鍵２ａは上面（押鍵される面側）に、開口部２２ａと、キャプスタンスクリュー９ａが支持される内側面を有する孔部２４ａと、を含む。ここで、孔部２４ａは開口部２２ａの底部に配置される。すなわち、開口部２２ａは孔部２４ａよりも鍵２ａの表面側に配置され、開口部２２ａと孔部２４ａとは鍵アセンブリ１００ａの回動方向に連続している。開口部２２ａの内側面および孔部２４ａの内側面は、何れもキャプスタンスクリュー９ａを囲むように配置される。キャプスタンスクリュー９ａが支持される孔部２４ａが開口部２２ａの底部に配置されることで、キャプスタンスクリュー９ａが鍵２ａの回動方向における環境変化および経年変化により受ける影響を抑制することができる。また、開口部２２ａがキャプスタンスクリュー９ａを囲むように配置されることで、鍵２ａの強度を維持することができる。このため、鍵アセンブリ１００ａは調整のずれを抑制し、信頼性を維持することができる。
【００４４】
本実施形態において、開口部２２ａの径Ｄ１ａは孔部２４ａの径Ｄ２ａと略同一である。さらに、開口部２２ａの径Ｄ１ａはねじ部１６ａの径ｄ２ａと略同一である。このため、開口部２２ａの内側面とねじ部１６ａのねじ山の頂とは接触する。開口部２２ａの径Ｄ１ａが孔部２４ａの径Ｄ２ａと略同一であることで、鍵２ａの強度を向上することができる。開口部２２ａの内側面とねじ部１６ａのねじ山の頂とが接触することで、キャプスタンスクリュー９ａと鍵２ａとを安定して締結することができる。
【００４５】
キャプスタンスクリュー９ａの頭部１２ａは、開口部２２ａの外に配置される。すなわち、キャプスタンスクリュー９ａの頭部１２ａは、鍵２ａの上面側（押鍵される面側）に突出している。本実施形態においてキャプスタンスクリュー９ａの頭部１２ａの径ｄ１ａは開口部２２ａの径Ｄ１ａより大きい。
【００４６】
キャプスタンスクリュー９ａのねじ部１６ａは、孔部２４ａの内側面と噛み合う。したがって、ねじ部１６ａの最大径ｄ２ａと孔部２４ａの最大径Ｄ２ａとは略同一であり、ねじ部１６ａの最小径ｄ２’ａと孔部２４ａの最小径Ｄ２’ａとは略同一である。図９に示すように、キャプスタンスクリュー９ａを締結する前の孔部２４ａはめねじを切られていない下穴である。このためキャプスタンスクリュー９ａを締結する前の孔部２４ａの最大径とねじ部１６ａの最小径ｄ２’ａとは略同一である。また、キャプスタンスクリュー９ａを締結する前の孔部２４ａの最大径Ｄ２’ａは開口部２２ａの最大径Ｄ１ａより小さい。図９の点線で示すように、キャプスタンスクリュー９ａを締結することで孔部２４ａはめねじを切られ、孔部２４ａの最大径はＤ２ａとねじ部１６ａの最大径ｄ２ａとは略同一となる。また、孔部２４ａの径Ｄ２ａは開口部２２ａの径Ｄ１ａと略同一になる。
【００４７】
以上のように、本実施形態に係る鍵アセンブリ１００ａによると、開口部２２ａの底部に孔部２４ａを有することで、キャプスタンスクリュー９ａが鍵２ａの回動方向における環境変化および経年変化により受ける影響を抑制することができる。また、開口部２２ａがキャプスタンスクリュー９ａと接するように配置されることで、鍵２ａの強度を向上しつつ安定してキャプスタンスクリュー９ａと鍵２ａとを締結することができる。このため、鍵アセンブリ１００ａは調整のずれを抑制し、信頼性を向上することができる。
【００４８】
＜第３実施形態＞
第３実施形態のキャプスタンスクリュー９ｂは、軸部１４ｂがねじ部１６ｂと円筒部１８ｂとを有することが第２実施形態のキャプスタンスクリュー９ａと相違する。第３実施形態の鍵２ｂは、第２実施形態の鍵２ａと同一である。第３実施形態の鍵アセンブリ１００ｂは、鍵２ｂの開口部２２ｂとキャプスタンスクリュー９ｂの円筒部１８ｂとが接触する。なお、第１実施形態および第２実施形態と同様である部分は、前の説明と同じ番号を付すことで繰り返しの説明は省略する。
【００４９】
［キャプスタンスクリューと鍵との締結箇所の構成］
図１０および図１１を用いて、キャプスタンスクリューと鍵との締結箇所の構成を詳しく説明する。図１０は、本発明の一実施形態におけるキャプスタンスクリューと鍵との締結箇所の部分拡大断面図である。図１１は、本発明の一実施形態における締結前のキャプスタンスクリューの部分拡大断面図である。ここで、キャプスタンスクリューと鍵との締結箇所の部分拡大上面図と、締結前の鍵の部分拡大断面図とは、第２実施形態と同様であることから省略する。
【００５０】
キャプスタンスクリュー９ｂは、頭部１２ｂと軸部１４ｂを有する。本実施形態において、軸部１４ｂはねじ部１６ｂと円筒部１８ｂとを有する。キャプスタンスクリュー９ｂのねじ部１６ｂは、鍵２ｂの孔部２４ｂに締結される。図１０において、ねじ部１６ｂはすべて孔部２４ｂに配置される。しかしながらこれに限定されず、ねじ部１６ｂの一部は開口部２２ｂに配置されてもよい。またこの場合、孔部２４ｂの一部はねじ部１６ｂが配置されない空間を有してもよい。円筒部１８ｂの径ｄ３ｂとねじ部１６ｂの径ｄ２ｂとは略同一である。ここで円筒部１８ｂの径ｄ３ｂとは軸方向に見た円筒部１８ｂの最大径を示し、ねじ部１６ｂの径ｄ２ｂとは軸方向に見たねじ部１６ｂの最大径を示す。本実施形態において、上面から見た円筒部１８ｂおよび軸部１４ｂは円形である。上面から見た円筒部１８ｂの中心と軸部１４ｂの中心とは略一致する。しかしながらこれに限定されず、円筒部１８ｂは例えば多角形であってもよい。
【００５１】
鍵２ｂは上面（押鍵される面側）に、開口部２２ｂと、キャプスタンスクリュー９ｂが支持される内側面を有する孔部２４ｂと、を含む。ここで、孔部２４ｂは開口部２２ｂの底部に配置される。すなわち、開口部２２ｂは孔部２４ｂよりも鍵２ｂの表面側に配置され、開口部２２ｂと孔部２４ｂとは鍵アセンブリ１００ｂの回動方向に連続している。開口部２２ｂの内側面および孔部２４ｂの内側面は、何れもキャプスタンスクリュー９ｂを囲むように配置される。キャプスタンスクリュー９ｂが支持される孔部２４ｂが開口部２２ｂの底部に配置されることで、キャプスタンスクリュー９ｂが鍵２ｂの回動方向における環境変化および経年変化により受ける影響を抑制することができる。また、開口部２２ｂがキャプスタンスクリュー９ｂを囲むように配置されることで、鍵２ｂの強度を維持することができる。このため、鍵アセンブリ１００ｂは調整のずれを抑制し、信頼性を維持することができる。
【００５２】
本実施形態において、開口部２２ｂの径Ｄ１ｂは孔部２４ｂの径Ｄ２ｂと略同一である。さらに、開口部２２ｂの径Ｄ１ｂは円筒部１８ｂの径ｄ３ｂと略同一である。このため、開口部２２ｂの内側面と円筒部１８ｂの外側面とは接触する。開口部２２ｂの径Ｄ１ｂが孔部２４ｂの径Ｄ２ｂと略同一であることで、鍵２ｂの強度を向上することができる。開口部２２ｂの内側面と円筒部１８ｂの外側面とが接触することで、キャプスタンスクリュー９ｂと鍵２ｂとを安定して締結することができる。
【００５３】
以上のように、本実施形態に係る鍵アセンブリ１００ｂによると、開口部２２ｂの底部に孔部２４ｂを有することで、キャプスタンスクリュー９ｂが鍵２ｂの回動方向における環境変化および経年変化により受ける影響を抑制することができる。また、開口部２２ｂがキャプスタンスクリュー９ｂと接するように配置されることで、鍵２ｂの強度を向上しつつ安定してキャプスタンスクリュー９ｂと鍵２ｂとを締結することができる。このため、鍵アセンブリ１００ｂは調整のずれを抑制し、信頼性をさらに向上することができる。
【００５４】
＜第４実施形態＞
第４実施形態のキャプスタンスクリュー９ｃは、円筒部１８ｃの径ｄ３ｃがねじ部１６ｃの径ｄ２ｃより小さいことが第３実施形態のキャプスタンスクリュー９ｂと相違する。第４実施形態の鍵２ｃは、第３実施形態の鍵２ｂと同一である。なお、第１実施形態から第３実施形態と同様である部分は、前の説明と同じ番号を付すことで繰り返しの説明は省略する。
【００５５】
［キャプスタンスクリューと鍵との締結箇所の構成］
図１２および図１３を用いて、キャプスタンスクリューと鍵との締結箇所の構成を詳しく説明する。図１２は、本発明の一実施形態におけるキャプスタンスクリューと鍵との締結箇所の部分拡大断面図である。図１３は、本発明の一実施形態における締結前のキャプスタンスクリューの部分拡大断面図である。ここで、キャプスタンスクリューと鍵との締結箇所の部分拡大上面図と、締結前の鍵の部分拡大断面図とは、第２実施形態と同様であることから省略する。
【００５６】
キャプスタンスクリュー９ｃは、頭部１２ｃと軸部１４ｃを有する。本実施形態において、軸部１４ｃはねじ部１６ｃと円筒部１８ｃとを有する。キャプスタンスクリュー９ｃのねじ部１６ｃは、鍵２ｃの孔部２４ｃに締結される。図１２において、ねじ部１６ｃはすべて孔部２４ｃに配置される。しかしながらこれに限定されず、ねじ部１６ｃの一部は開口部２２ｃに配置されてもよい。またこの場合、孔部２４ｃの一部はねじ部１６ｃが配置されない空間を有してもよい。円筒部１８ｃの径ｄ３ｃはねじ部１６ｃの径ｄ２ｃより小さい。
【００５７】
鍵２ｃは上面（押鍵される面側）に、開口部２２ｃと、キャプスタンスクリュー９ｃが支持される内側面を有する孔部２４ｃと、を含む。ここで、孔部２４ｃは開口部２２ｃの底部に配置される。すなわち、開口部２２ｃは孔部２４ｃよりも鍵２ｃの表面側に配置され、開口部２２ｃと孔部２４ｃとは鍵アセンブリ１００ｃの回動方向に連続している。開口部２２ｃの内側面および孔部２４ｃの内側面は、何れもキャプスタンスクリュー９ｃを囲むように配置される。キャプスタンスクリュー９ｃが支持される孔部２４ｃが開口部２２ｃの底部に配置されることで、キャプスタンスクリュー９ｃが鍵２ｃの回動方向における環境変化および経年変化により受ける影響を抑制することができる。また、開口部２２ｃがキャプスタンスクリュー９ｃを囲むように配置されることで、鍵２ｃの強度を維持することができる。このため、鍵アセンブリ１００ｃは調整のずれを抑制し、信頼性を維持することができる。
【００５８】
本実施形態において、開口部２２ｃの径Ｄ１ｃは孔部２４ｃの径Ｄ２ｃと略同一である。開口部２２ｃの径Ｄ１ｃが孔部２４ｃの径Ｄ２ｃと略同一であることで、鍵２ｃの強度を向上することができる。また、キャプスタンスクリュー９ｃの円筒部１８ｃは、開口部２２ｃの内側面と離隔している。開口部２２ｃの径Ｄ１ｃは円筒部１８ｃの最大径ｄ３ｃより大きい。
【００５９】
以上のように、本実施形態に係る鍵アセンブリ１００ｃによると、開口部２２ｃの底部に孔部２４ｃを有することで、キャプスタンスクリュー９ｃが鍵２ｃの回動方向における環境変化および経年変化により受ける影響を抑制することができる。また、開口部２２ｃがキャプスタンスクリュー９ｃを囲むように配置されることで、鍵２ｃの強度を維持することができる。このため、鍵アセンブリ１００ｃは調整のずれを抑制し、信頼性を向上することができる。
【００６０】
＜第５実施形態＞
第５実施形態の鍵２ｄは、開口部２２ｄの形状が第４実施形態の鍵２ｃと相違する。第５実施形態のキャプスタンスクリュー９ｄは、第４実施形態のキャプスタンスクリュー９ｃと同一である。第５実施形態の鍵アセンブリ１００ｄは、鍵２ｄの開口部２２ｄとキャプスタンスクリュー９ｄの円筒部１８ｄとが一部接触する。なお、第１実施形態から第４実施形態と同様である部分は、前の説明と同じ番号を付すことで繰り返しの説明は省略する。
【００６１】
［キャプスタンスクリューと鍵との締結箇所の構成］
図１４から図１７を用いて、キャプスタンスクリューと鍵との締結箇所の構成を詳しく説明する。図１４は、本発明の一実施形態におけるキャプスタンスクリューと鍵との締結箇所の部分拡大上面図である。図１５は、本発明の一実施形態におけるキャプスタンスクリューと鍵との締結箇所の部分拡大断面図である。図１６は、本発明の一実施形態における締結前のキャプスタンスクリューの部分拡大断面図である。図１７は、本発明の一実施形態における締結前の鍵の部分拡大断面図である。
【００６２】
鍵２ｄは上面（押鍵される面側）に、開口部２２ｄと、キャプスタンスクリュー９ｄが支持される内側面を有する孔部２４ｄと、を含む。ここで、孔部２４ｄは開口部２２ｄの底部に配置される。すなわち、開口部２２ｄは孔部２４ｄよりも鍵２ｄの表面側に配置され、開口部２２ｄと孔部２４ｄとは鍵アセンブリ１００ｄの回動方向に連続している。開口部２２ｄの内側面および孔部２４ｄの内側面は、何れもキャプスタンスクリュー９ｄを囲むように配置される。キャプスタンスクリュー９ｄが支持される孔部２４ｄが開口部２２ｄの底部に配置されることで、キャプスタンスクリュー９ｄが鍵２ｄの回動方向における環境変化および経年変化により受ける影響を抑制することができる。また、開口部２２ｄがキャプスタンスクリュー９ｄを囲むように配置されることで、鍵２ｄの強度を維持することができる。このため、鍵アセンブリ１００ｄは調整のずれを抑制し、信頼性を維持することができる。
【００６３】
本実施形態において、開口部２２ｄの形状は孔部２４ｄの形状と略同一であり、めねじが切られている。開口部２２ｄの最大径Ｄ１ｄは孔部２４ｄの最大径Ｄ２ｄと略同一であり、開口部２２ｄの最小径Ｄ１’ｄは孔部２４ｄの最小径Ｄ２’ｄと略同一である。さらに、開口部２２ｄの最大径Ｄ１ｄおよび孔部２４ｄの最大径Ｄ２ｄはねじ部１６ｄの最大径ｄ２ｄと略同一であり、開口部２２ｄの最小径Ｄ１’ｄおよび孔部２４ｄの最小径Ｄ２’ｄはねじ部１６ｄの最小径ｄ２’ｄと略同一である。また、開口部２２ｄの最小径Ｄ１’ｄおよび孔部２４ｄの最小径Ｄ２’ｄは円筒部１８ｄの最大径ｄ３ｄと略同一である。このため、開口部２２ｄのねじ山（最小径Ｄ１’ｄを有するめねじの山）の頂と円筒部１８ｄの外側面とは接触する。開口部２２ｄの最大径Ｄ１ｄが孔部２４ｄの最大径Ｄ２ｄと略同一であることで、鍵２ｄの強度を向上することができる。開口部２２ｄのねじ山の頂と円筒部１８ｄの外側面とが接触することで、キャプスタンスクリュー９ｄと鍵２ｄとを安定して締結することができる。
【００６４】
キャプスタンスクリュー９ｄのねじ部１６ｄは、孔部２４ｄの内側面と噛み合う。図１７に示すように、キャプスタンスクリュー９ｄを締結する前の開口部２２ｄおよび孔部２４ｄはめねじを切られていない下穴である。このためキャプスタンスクリュー９ｄを締結する前の開口部２２ｄの最大径および孔部２４ｄの最大径Ｄ２’ｄとねじ部１６ｄの最小径ｄ２’ｄとは略同一である。図１７の点線で示すように、キャプスタンスクリュー９ｄを締結することで開口部２２ｄおよび孔部２４ｄはめねじを切られ、開口部２２ｄの最大径Ｄ１ｄと孔部２４ｄの最大径Ｄ２ｄとねじ部１６ｄの最大径ｄ２ｄとは略同一となる。
【００６５】
以上のように、本実施形態に係る鍵アセンブリ１００ｄによると、開口部２２ｄの底部に孔部２４ｄを有することで、キャプスタンスクリュー９ｄが鍵２ｄの回動方向における環境変化および経年変化により受る影響を抑制することができる。また、開口部２２ｄがキャプスタンスクリュー９ｄと接するように配置されることで、鍵２ｄの強度を向上しつつ安定してキャプスタンスクリュー９ｄと鍵２ｄとを締結することができる。このため、鍵アセンブリ１００ｄは調整のずれを抑制し、信頼性をさらに向上することができる。
【００６６】
＜第６実施形態＞
第６実施形態のキャプスタンスクリュー９ｅは、円筒部１８ｅの径ｄ３ｅがねじ部１６ｅの最小径ｄ２’ｅよりさらに小さいことが第５実施形態のキャプスタンスクリュー９ｄと相違する。第６実施形態の鍵２ｅは、第５実施形態の鍵２ｄと同一である。なお、第１実施形態から第５実施形態と同様である部分は、前の説明と同じ番号を付すことで繰り返しの説明は省略する。
【００６７】
［キャプスタンスクリューと鍵との締結箇所の構成］
図１８および図１９を用いて、キャプスタンスクリューと鍵との締結箇所の構成を詳しく説明する。図１８は、本発明の一実施形態におけるキャプスタンスクリューと鍵との締結箇所の部分拡大断面図である。図１９は、本発明の一実施形態における締結前のキャプスタンスクリューの部分拡大断面図である。ここで、キャプスタンスクリューと鍵との締結箇所の部分拡大上面図と、締結前の鍵の部分拡大断面図とは、第５実施形態と同様であることから省略する。
【００６８】
キャプスタンスクリュー９ｅは、頭部１２ｅと軸部１４ｅを有する。本実施形態において、軸部１４ｅはねじ部１６ｅと円筒部１８ｅとを有する。キャプスタンスクリュー９ｅのねじ部１６ｅは、鍵２ｅの孔部２４ｅに締結される。図１８において、ねじ部１６ｅはすべて孔部２４ｅに配置される。しかしながらこれに限定されず、ねじ部１６ｅの一部は開口部２２ｅに配置されてもよい。またこの場合、孔部２４ｅの一部はねじ部１６ｅが配置されない空間を有してもよい。円筒部１８ｅの径ｄ３ｅはねじ部１６ｅの最大径ｄ２ｅおよび最小径ｄ２’ｅより小さい。
【００６９】
鍵２ｅは上面（押鍵される面側）に、開口部２２ｅと、キャプスタンスクリュー９ｅが支持される内側面を有する孔部２４ｅと、を含む。ここで、孔部２４ｅは開口部２２ｅの底部に配置される。すなわち、開口部２２ｅは孔部２４ｅよりも鍵２ｅの表面側に配置され、開口部２２ｅと孔部２４ｅとは鍵アセンブリ１００ｅの回動方向に連続している。開口部２２ｅの内側面および孔部２４ｅの内側面は、何れもキャプスタンスクリュー９ｅを囲むように配置される。キャプスタンスクリュー９ｅが支持される孔部２４ｅが開口部２２ｅの底部に配置されることで、キャプスタンスクリュー９ｅが鍵２ｅの回動方向における環境変化および経年変化により受ける影響を抑制することができる。また、開口部２２ｅがキャプスタンスクリュー９ｅを囲むように配置されることで、鍵２ｅの強度を維持することができる。このため、鍵アセンブリ１００ｅは調整のずれを抑制し、信頼性を維持することができる。
【００７０】
本実施形態において、開口部２２ｅの径Ｄ１ｅは孔部２４ｅの径Ｄ２ｅと略同一である。開口部２２ｅの径Ｄ１ｅが孔部２４ｅの径Ｄ２ｅと略同一であることで、鍵２ｅの強度を向上することができる。また、キャプスタンスクリュー９ｅの円筒部１８ｅは、開口部２２ｅの内側面と離隔している。開口部２２ｅの径Ｄ１ｅは円筒部１８ｅの最大径ｄ３ｅより大きい。
【００７１】
以上のように、本実施形態に係る鍵アセンブリ１００ｅによると、開口部２２ｅの底部に孔部２４ｅを有することで、キャプスタンスクリュー９ｅが鍵２ｅの回動方向における環境変化および経年変化により受ける影響を抑制することができる。また、開口部２２ｅがキャプスタンスクリュー９ｅを囲むように配置されることで、鍵２ｅの強度を維持することができる。このため、鍵アセンブリ１００ｅは調整のずれを抑制し、信頼性を向上することができる。
【００７２】
＜変形例１＞
第１実施形態から第６実施形態の孔部にはねじ部が配置される。本変形例にかかる孔部２４ｆは、ねじ部１６ｆが配置されない空間を含む。本変形例の鍵２ｆは孔部２４ｆが長いことが第４実施形態の鍵２ｃと相違する。本変形例のキャプスタンスクリュー９ｆは第４実施形態のキャプスタンスクリュー９ｃと同一である。なお、第１実施形態から第６実施形態と同様である部分は、前の説明と同じ番号を付すことで繰り返しの説明は省略する。
【００７３】
［キャプスタンスクリューと鍵との締結箇所の構成］
図２０から図２２を用いて、キャプスタンスクリューと鍵との締結箇所の構成を詳しく説明する。図２０から図２２は、本発明の一実施形態におけるキャプスタンスクリューと鍵との締結箇所の部分拡大断面図である。
【００７４】
鍵２ｆは上面（押鍵される面側）に、開口部２２ｆと、孔部２４ｆと、を含む。ここで、孔部２４ｆは開口部２２ｆの底部に配置される。図２０に示すように、孔部２４ｆは、キャプスタンスクリュー９ｆのねじ部１６ｆより軸方向に長くてもよい。図２１に示すように、孔部２４ｆはさらに開口部２２ｆとは反対側に貫通していてもよい。図２２に示すように、孔部２４ｆはさらに、開口部２２ｆとは反対側の第２の開口部２２’ｆと鍵アセンブリ１００ｆの回動方向に連続していてもよい。なお図２０から図２２において、キャプスタンスクリュー９ｆは第４実施形態のキャプスタンスクリュー９ｃと同一である。しかしながらこれに限定されず、さらにキャプスタンスクリュー９ｆのねじ部１６ｆも長くてもよい。
【００７５】
図２０から図２２において、ねじ部１６ｆはすべて孔部２４ｆに配置される。さらに円筒部１８ｆの一部が孔部２４ｆに配置される。しかしながらこれに限定されず、ねじ部１６ｆの一部は開口部２２ｆに配置されてもよい。
【００７６】
以上のように、本変形例に係る鍵アセンブリ１００ｆによると、ねじ部１６ｆより孔部２４ｆが軸方向に長いことで、キャプスタンスクリュー９ｆをより広い範囲で調整することができ、鍵２ｆの加工性も向上することができる。
【００７７】
＜変形例２＞
本実施形態において、キャプスタンスクリューはねじ部を有し、ねじ部のねじ山と孔部のねじ谷、およびねじ部のねじ谷と孔部のねじ山が噛み合うように締結される構成を示した。しかしながら本発明の実施形態はこれらに限定されるものではなく、他の締結方法に適応することもできる。この場合、開口部の内側面とキャプスタンスクリューの締結力が、孔部の内側面とキャプスタンスクリューの締結力より小さければよい。
【００７８】
＜変形例３＞
本実施形態においては、鍵盤装置の一例としてグランドピアノの鍵盤アセンブリを示した。しかしながらこれらに限定されず、本発明の実施形態は、アクション機構に相当するものが載置されるキャプスタンスクリューに相当するものを有する鍵盤装置に適応することもできる。鍵盤装置の一例としては、例えば、電子ピアノであってもよい。
【００７９】
本発明の実施形態として上述した実施形態および変形例は、相互に矛盾しない限りにおいて、適宜組み合わせて実施することができる。また、実施形態の鍵アセンブリを基にして、当業者が適宜構成要素の追加、削除もしくは設計変更を行ったものも、本発明の要旨を備えている限り、本発明の範囲に含まれる。
【符号の説明】
【００８０】
１  鍵盤装置、２  鍵、４  ハンマ、５  弦、６  棚板、７  バランスピン、９  キャプスタンスクリュー、１０  鍵盤アセンブリ１２  頭部、１４  軸部、１６  ねじ部、１８  円筒部、２２  開口部、２４  孔部、４５  アクション機構、１００  鍵アセンブリ
【図１】
0006988998.tif 000002
【図２】
0006988998.tif 000003
【図３】
0006988998.tif 000004
【図４】
0006988998.tif 000005
【図５】
0006988998.tif 000006
【図６】
0006988998.tif 000007
【図７】
0006988998.tif 000008
【図８】
0006988998.tif 000009
【図９】
0006988998.tif 000010
【図１０】
0006988998.tif 000011
【図１１】
0006988998.tif 000012
【図１２】
0006988998.tif 000013
【図１３】
0006988998.tif 000014
【図１４】
0006988998.tif 000015
【図１５】
0006988998.tif 000016
【図１６】
0006988998.tif 000017
【図１７】
0006988998.tif 000018
【図１８】
0006988998.tif 000019
【図１９】
0006988998.tif 000020
【図２０】
0006988998.tif 000021
【図２１】
0006988998.tif 000022
【図２２】
0006988998.tif 000023